(57)【要約】      （修正有）【課題】健康のために設けられる構成ピースを、皮膚に直接当てることなく容易にネックレス状に形成した磁気ネックレスを提供する。【解決手段】磁気ネックレスは、布製袋状のネックレス本体部２と、該ネックレス本体部２内に挿入される所定の大きさの天然石５又はトルマリン６等からなる構成ピースと、前記ネックレス本体部２内に前記構成ピースによって所定の間隔となるように配置される永久磁石７と、前記ネックレス本体部２の両端を閉塞すると共に、着脱自在に接続されて前記ネックレス本体部２を環状にする一対の端末接着留め具３，４とによって構成される。【選択図】図２
0003160556.tif 000002
【実用新案登録請求の範囲】
【請求項１】
布製袋状のネックレス本体部と、
該ネックレス本体部内に挿入される所定の大きさの構成ピースと、
前記ネックレス本体内に前記構成ピースによって所定の間隔となるように配置される永久磁石と、
前記ネックレス本体部の両端を閉塞すると共に、着脱自在に接続されて前記ネックレス本体部を環状にする留め具手段とによって構成されることを特徴とする磁気ネックレス。
【請求項２】
前記構成ピースが、天然石からなることを特徴とする請求項１記載の磁気ネックレス。
【請求項３】
磁石の間に複数配設される天然石のいずれかをトルマリン石としたことを特徴とする請求項2記載の磁気ネックレス。
【請求項４】
前記留め具手段が、前記ネックレス本体部の端部を閉塞する端末留め部と、それぞれの先端部に極性の異なる磁石が配置された接着部とによって構成される
一対の端末接着留め具であることを特徴とする請求項１〜３のいずれか1つに記載の磁気ネックレス。
【請求項５】
前記磁気ネックレスが、前記ネックレス本体部に吊り下げられる磁性体からなる吊下部を具備することを特徴とする請求項１〜４のいずれか1つに記載の磁気ネックレス。
【考案の詳細な説明】
【技術分野】
【０００１】
本考案は、首周辺に磁気を発生させ首周辺のこりを軽減する磁気ネックレスに関する。
【背景技術】
【０００２】
特許文献１（実開平７−１１９１９号公報）は、木、プラスチック、ガラス、セラミック、磁性体、金属等で作られたビーズ、管、又は連結可能な板、或いは多形体のピースの表面に遠赤外線放射塗料を塗布加工し、数珠状、又は両端にフックやカンを設けて連珠状に構成した装飾を兼ねた保健用遠赤外線放射ネックレスを開示する。
【０００３】
特許文献２（特開２００４−１６６８９５号公報）は、リングに複数の永久磁石を配設して構成される永久磁石リングを開示する。この永久磁石リングは、上記永久磁石の各々に通し穴が形成され、その通し穴に上記リングが通されていることにより上記永久磁石の各々が、リングに対して移動可能に装着されるものである。また、互いに隣り合う永久磁石の対抗する磁極が相互に同極となるように配置され、互いに磁気反発してリング上で所定の間隔が開くようになっているものである。
【０００４】
特許文献３（特開２００９−１８０６１号公報）は、ネックレス等に用いられて身体に血行促進作用を及ぼす磁気治療器具において、樹脂と着磁された複数の粒状の固体物とからなり、可撓性を有する長尺な磁性部を備え、前記複数の固形物が、前記樹脂に覆われた状態で互いに離間した位置に配置されている磁気治療器具、いわゆる磁気ネックレスを開示する。
【先行技術文献】
【特許文献】
【０００５】
【特許文献１】実開平７−１１９１９号公報
【特許文献２】特開２００４−１６６８９５号公報
【特許文献３】特開２００９−１８０６１号公報
【考案の概要】
【考案が解決しようとする課題】
【０００６】
上記特許文献１又は２に開示されているネックレスでは、構成ピースのそれぞれにひも等のリングを通すための穴を形成する必要があるため、加工に手間がかかるという不具合があり、また、直接構成ピースが肌に触れるため、装着した場合に違和感があったり、構成ピースの角によって皮膚に傷が付くという不具合があった。
【０００７】
また、特許文献３に開示されているネックレスでは、樹脂に着磁された複数の粒状の固体物を、それぞれが離間するように混入させるため、磁性体の極性がランダムとなるため、磁気が有効に働かないという不具合があった。
【０００８】
このため、本考案は、健康のために設けられる構成ピースを、皮膚に直接当てることなく容易にネックレス状に形成した磁気ネックレスを提供することにある。さらに、この磁気ネックレスに付加価値を付与することを目的とするものである。
【課題を解決するための手段】
【０００９】
本考案に係る磁気ネックレスは、布製袋状のネックレス本体部と、該ネックレス本体部内に挿入される所定の大きさの構成ピースと、前記ネックレス本体内に前記構成ピースによって所定の間隔となるように配置される永久磁石と、前記ネックレス本体部の両端を閉塞すると共に、着脱自在に接続されて前記ネックレス本体部を環状にする留め具手段とによって構成されるものである。
【００１０】
これによって、構成ピースと永久磁石を布製袋状のネックレス本体部内に挿入することによってネックレスを構成できるので、構成ピースに穴を穿設する作業が不要となるため、ネックレスの製造作業が容易になるという利点がある。また、布製袋によって構成ピース及び永久磁石を包むことになるため、それらが直接皮膚に触れることがないため、装着時の不快感（例えば、装着時の冷感）、金属アレルギーによる肌の荒れを防止することができるものである。また、磁石を円筒状としたことによって磁石の極性を一定にすることが可能となるものである。
【００１１】
また、前記構成ピースは、天然石であることが望ましい。これによって、遠赤外線効果を得ることもできる。また、磁石の間に複数配設される天然石のいずれかをトルマリン石に交換しても良いものである。これによって、天然石による遠赤外線効果、トルマリン石による効果を期待できるものである。
【００１２】
また、前記留め具手段は、前記ネックレス本体部の端部を閉塞する端末留め部と、それぞれの先端部に極性の異なる磁石が配置された接着部とが一体に形成された一対の端末接着留め具であることが望ましい。
【００１３】
さらに、本考案に係る磁気ネックレスは、前記ネックレス本体部に吊り下げられる磁性体からなる吊下部を具備することが望ましい。これによって、磁石を具備した装飾装着品又は磁石によって形成された装飾装着品を着脱自在に装着することができるものである。尚、装飾装着品としては、ブローチ等の宝飾品、ボールペンなどの筆記用具を含む文房具、又はゴルフのマーカー、ピン等の備品などが考えられる。
【考案の効果】
【００１４】
上述したように、この考案によれば、自然石又はトルマリンからなる構成ピースと円筒状磁石とを、布製袋状のネックレス本体部に所定の順番で挿入し配置するので、ネックレスの形成が容易であると共に、自然石又はトルマリンによる効果、磁力線による効果を維持しつつ装着感を向上させることができるものである。
【００１５】
また、磁性体からなる吊下部を設けたことによって、磁石を具備した装飾装着品又は磁石によって形成された装飾装着品を着脱自在に保持することができるので、美的効果の向上及び利便性の向上を達成できるものである。
【図面の簡単な説明】
【００１６】
【図１】本考案に係る磁気ネックレスの外観図である。
【図２】本考案に係る磁気ネックレスの端末接着留め具付近の一部拡大断面図である。
【図３】本考案に係る磁気ネックレスの吊下部近傍の一部拡大図である。
【考案を実施するための形態】
【００１７】
本考案に係る磁気ネックレスは、布製袋状のネックレス本体部と、該ネックレス本体部内に挿入される所定の大きさの天然石又はトルマリン等からなる構成ピースと、前記ネックレス本体内に前記構成ピースによって所定の間隔となるように配置される永久磁石と、前記ネックレス本体部の両端を閉塞すると共に、着脱自在に接続されて前記ネックレス本体部を環状にする一対の端末接着留め具とによって構成されるものである。
【００１８】
前記一対の端末接着留め具のそれぞれは、前記ネックレス本体部の端部を閉塞する端末留め部と、それぞれの先端部に極性の異なる磁石が配置された接着部とによって構成されるものである。
【００１９】
また、前記磁気ネックレスは、前記ネックレス本体部に吊り下げられる磁性体からなる吊下部を具備する。この吊下部には、磁石を具備するか、磁石から形成された装飾装備品を着脱自在に接着刺せることが可能となるものである。
【実施例１】
【００２０】
以下、この考案の実施例１について、図面により説明する。
【００２１】
本考案に係る磁気ネックレス１は、図１に示すように、布製袋状のネックレス本体部２と、このネックレス本体部２の両端に位置する端末接着留め具３，４と、ネックレス本体部２に吊り下げられる吊下部１０とによって構成される。
【００２２】
前記ネックレス本体部２は、リネン、木綿、ポリエステル等の繊維からなる織物、メリヤス編み物、フェルト、不織布などの布を袋状に形成したもので、いわゆる所定の長さの筒状をした布製袋部２０を具備する。両端が開口した布製袋部２０に、図２で示すように、構成ピースとして所定の大きさの天然石５を所定の数挿入し、そして円筒状の形成された磁石７を挿入する。この作業を繰り返すことによって、ネックレス本体部２に、所定の天然石毎に磁石が配置された磁気ネックレス部２０が構成される。また、所定数の天然石毎に、トルマリン石６を挿入するようにしても良いものである。
【００２３】
構成ピースとしての天然石５及び／若しくはトルマリン石６と、磁石７とが挿入配置された磁気ネックレス部２０は、その両端に端末接着留め具３，４が接着固定されることによって閉塞される。これは、端末接着留め具３，４の本体部３０，４０が、前記磁気ネックレス部２０の端部外周を覆うように収縮接着する熱収縮チューブによって達成される。このような熱収縮チューブは、ポリオレフィン、ポリ塩化ビニル、ポリフッ化ビニリデンから形成されるものである。
【００２４】
また、前記端末接着留め具３，４のお互いに対峙する部分には、接着のため反対磁極を有するように配置された接着用磁石８，９が固定配置される。また、この磁極は、磁気ネックレス部２０に挿着される磁石７の磁極と整合することが望ましい。これによって、端末接着留め具３，４をお互いに接着させることによって図１で示すような磁気ネックレス１とすることができるが、端末接着留め具３，４を交差させても、所定の位置の磁石７にそれぞれの磁石８，９が接着するので、短い輪の磁気ネックレスとしても使用することが可能となるものである。
【００２５】
また、前記磁気ネックレス１は、図１及び図３で示すように、前記磁気ネックレス１のネックレス本体部２に吊り下げられる吊下部１０を有するものである。この吊下部１０は、磁性体によって形成されるもので、例えばデザイン性を向上させるために六角形に形成されている。しかしながら、この形状は、六角形に限定されるものではなく、所定の多角形又は円形、さらには星形であっても良いものである。
【００２６】
この吊下部１０に接着される装飾装備品１１は、例えば中心に磁石１２が設けられて、前記吊下部５に着脱自在に接着されるものである。この装着装備品１１としては、宝飾品であってもよく、またゴルフのマーカー等であっても良いものである。また、装飾装備品１１自体を、磁石によって形成しても良いものである。
【００２７】
これによって、本考案に係る磁気ネックレス１を装着した場合、天然石及び磁石が直接肌に接することがなく、良好な装着感が得られる。また、磁石による磁気の効果、天然石又はトルマリン石による効果を得ることができるものである。
【符号の説明】
【００２８】
１  磁気リング
２  ネックレス本体部
３，４  端末接着留め具
５  天然石
６  トルマリン石
７，８，９  磁石
１０  吊下部
１１  装飾装備品
１２  磁石
【図１】
0003160556.tif 000003
【図２】
0003160556.tif 000004
【図３】
0003160556.tif 000005
【手続補正書】
【提出日】平成22年4月28日(2010.4.28)
【手続補正１】
【補正対象書類名】実用新案登録請求の範囲
【補正対象項目名】請求項１
【補正方法】変更
【補正の内容】
【請求項１】
布製袋状のネックレス本体部と、
該ネックレス本体部内に挿入される所定の大きさの構成ピースと、
前記ネックレス本体部内に前記構成ピースによって所定の間隔となるように配置される永久磁石と、
前記ネックレス本体部の両端を閉塞すると共に、着脱自在に接続されて前記ネックレス本体部を環状にする留め具手段とによって構成されることを特徴とする磁気ネックレス。
【手続補正２】
【補正対象書類名】明細書
【補正対象項目名】０００９
【補正方法】変更
【補正の内容】
【０００９】
本考案に係る磁気ネックレスは、布製袋状のネックレス本体部と、該ネックレス本体部内に挿入される所定の大きさの構成ピースと、前記ネックレス本体部内に前記構成ピースによって所定の間隔となるように配置される永久磁石と、前記ネックレス本体部の両端を閉塞すると共に、着脱自在に接続されて前記ネックレス本体部を環状にする留め具手段とによって構成されるものである。